(57)【要約】【課題】  相互認識を高め意思疎通を図るため名札は有効な手段であり、各種の式典や会合の会場受付では、芳名帳への記帳後、準備された名札か、名札代りの名刺用ホルダーや記入カードを渡していたため、受付は混雑渋滞を起こし、名札や名札の代替品の準備と費用、退場時の回収などの問題があった。【解決手段】  本発明の芳名帳は、芳名帳に綴じられた記帳シートの表面に記入項目とその配置等を工夫して区画された記帳者単位の記帳欄を設け、記帳シートの後部に所要時に記帳欄単位に容易に取り出せる名札用紙を留めておく構造を持たせ、記帳シートと名札用紙の間には筆記圧により複写できる構造を持たせ、記帳後取り出された名札用紙に簡単な手加工を施して、衣服に取り付けが出来る名札とするものであり、記帳後、即席で名札が作れるため、名札などの準備が不要で受付の混雑渋滞が起こらない。又、記入欄の記入項目の工夫で名札に心理効果を持たすことが出来る。【選択図】    なし【特許請求の範囲】
【請求項１】
氏名、住所などを記帳する芳名帳であって、芳名帳に綴じられた記帳シートの表面に記帳者単位に設けられる記帳欄を、少なくとも氏名の記入部と、氏名以外の住所などの記入部を、概略名刺大の範囲に配置するように区画し、記帳シートの後部に所要時に記帳欄単位に容易に取り出せる名札用紙を一時的に留めておく名札用紙留め構造を持たせるとともに、記帳シートの裏面と留められた名札用紙の表面の間に筆記圧による複写構造を持たせ、記帳がなされた後、取り出した記入内容が複写表示された名札用紙に簡単な手加工を施して、衣服に取り付けが出来る名札とすることを特徴とする芳名帳。
【発明の詳細な説明】
【技術分野】
【０００１】  本発明は、記帳されると即席で名札が作れる芳名帳に関するものである。
【背景技術】
【０００２】  従来、各種の式典や会合、或いは各種の催しが開催される式場や会場の受付には、多くの場合、芳名帳が置かれており、出席者や来場者は、最初に、各自夫々で芳名帳に氏名、住所などを記帳していた。【０００３】  相互認識を高め意思疎通を図るために名前で呼び合うことは重要であり、このことは誰もが認めるところである。このような観点から、各種の集まりでは名札が有効な手段となる。初対面の者も出席する各種の式典や会合、一般者も参加する各種の催しにおいても、名札を取り付けてもらうことが広く行われていた。【０００４】  この場合、式場や会場の受付に於いて、芳名帳への記帳が済んだ後に、事前に出席が確認されている出席者に対しては事前に作製準備された名札を渡し衣服の胸元などに取り付けてもらう、事前には確認できない一般来場者に対しては、例えば、名刺大の透明のカードホルダーを受付に準備しておき、来場者が携帯する名刺をカードホルダーに取り付けてもらい、これを名札とし、カードホルダーに装着された取り付け具で衣服の胸元などに取り付けてもらう、また、名刺を携帯されていない一般来場者に対しては、記入項目が印刷された記入カードをカードホルダーとともに受付に準備しておき、記入カードに来場者の氏名、住所などを記入してもらい、前述の名刺と同様の方法で衣服の胸元などに取り付けてもらう、などが一般的に行われていた。つまり、芳名帳と名札は全く独立した概念のものであり、それが当然のこととして取り扱われて来た。
【発明の開示】
【発明が解決しようとする課題】
【０００５】  しかしながら、従来の方法では、式場や会場の受付で、芳名帳への記帳がなされた後に、名札やカードホルダー、記入カードが手渡され取り扱い説明が行われるため、受付での混雑渋滞は避けられないという大きな問題、事前に作製準備された名札の記入ミスなどによる混乱の問題、名札を並置する受付台の設置スペースの問題、かさばるカードホルダー、記入カードの準備の手間と費用の問題、更には、退場時の名札やカードホルダーの回収といった煩わしい問題もあり、これらの問題を解決することを課題とする。
【課題を解決するための手段】
【０００６】  本発明はこのような課題を解決するもので、式場や会場の受付に事前に準備する名札やカードホルダー、記入カードなどを一切不要とし、受付で芳名帳への記帳がなされると、名札がその場ですぐに容易に作製出来る芳名帳で、かつ、個人やグループが主催する規模の小さな創作展、展示会などでも活用できるように安価な芳名帳であることを狙いとするものである。即ち、芳名帳に綴じられた記帳シートの表面に記帳者単位で設けられる記帳欄を、少なくとも氏名の記入部と、氏名以外の住所などの記入部を、概略名刺大の範囲に配置するように区画し、記帳シートの後部に所要時に記帳欄単位で容易に取り出せる名札用紙を一時的に留めておく名札用紙留め構造を持たせるとともに、記帳シートの裏面と留められた名札用紙の表面の間に筆記圧による複写構造を持たせ、記帳がなされた後、取り出した記入内容が複写表示された名札用紙に、簡単な手加工を施して、衣服に取り付けが出来る名札とすることを要旨とするものである。【０００７】  また、複写構造は、世の中で広く普及している、筆記圧により瞬時に複写出来るカーボン方式とノーカーボン方式のいずれもが利用できる構造とする。【０００８】  本構成とした時の作用を説明する。記帳シートの記帳欄に記入がなされると、筆記圧が記帳シート裏面とその下部の名札用紙表面に加わり、その間の複写構造により名札用紙の表面に複写される、そして、取り出された名札用紙は、切り取り、折り曲げなどの簡単な手加工が施されて、衣服に取り付けが出来る名札に仕上がるものである。尚、仕上がった名札の心理効果に関しては、後の、発明の効果で詳述する。
【実施例】
【０００９】  図１は本発明の芳名帳の概略図である。従来と同様に、芳名帳１には複数枚の記帳シート２が綴じられている。【００１０】  尚、芳名帳は一般的なＡ４サイズで横書きのものを想定しているが、本発明は縦書きのものにも容易に適用できるものである。【００１１】  図２は本発明の記帳シート２の構造を示すもので、後述する記帳欄の断面図である。記帳シート２の後部である裏面に、名札用紙４を一時的に留めておく名札用紙留め構造の一実施例とし、ポケット状の名札用紙収納部３が設けられている。名札用紙４は、完全に収納された状態で一端が記帳シート２より飛び出すようにし、端部にツマミ部５を設け、取り出しを容易にしている。【００１２】  図３は本発明の記帳シート２の表面を示すものである。記帳シート２の裏面に収納された名札用紙４とその取り出し用のツマミ部５も示している。【００１３】  記帳シート２の表面には、従来と同様に、記帳者単位で記帳欄６が設けられており、記入枠と記入項目が印刷されている。記入項目の氏名、住所、それに勤務先や所属団体を記入する所属の欄は、従来からもまとまって配置されているのが一般的であり、横書き用の芳名帳を想定しているので、図３では記帳欄６の左側半分としている。氏名、住所の基本項目に所属などの１項目を加えても、これら３項目の記入枠を概略名刺大の範囲に配置することは十分可能である。住所に関しては、文字数が多くなるが、名札としては丁目番地までは不要であり、都道府県市区程度までの上位住所が当該範囲に入ればよく、住所記入枠は当該範囲からはみ出し横手方向に長く設けてもよい。尚、図３には記入項目を示していないが、記帳欄６の右側は開催内容によって記入項目も変わる。性別、生年月日、電話連絡先、メールアドレスなどの項目がある場合もある。【００１４】  いずれにしても、名札としては、少なくとも氏名と、住所或いは住所の一部が表示されておればよく、所属まであれば十分である。このことから、複写範囲は記帳欄６の左側半分と固定して考えておいても、本発明にかかわる本実施例は何ら一般性を失うものではない。更に、ものづくりの観点から言うと、記帳欄６の右側の記入項目が変わっても、記帳シート２の裏面と名札用紙４の表面の間に持たせる複写構造と、後述する名札用紙４の構造は何ら変える必要がないため、構造の標準化、製造工程の標準化が推し進められ、結果、コストダウンにつながることになる。【００１５】  尚、芳名帳の記入項目も個人情報に該当するもので、本年平成１７年４月から施行された個人情報保護法遵守の点から、記帳シート２に個人情報利用目的等の文言を入れる余白を設けておくことは肝要である。【００１６】  図４は本発明の名札用紙４の構造を示すものである。名札用紙４は、常時、片側は図２に示すように名札用紙収納部３に収納されているが、ツマミ部５のある片側はフリーとしているため、ずれる心配、抜ける心配がある。これを防止するために、記帳シート２の端７からはみださない範囲で、名札用紙４の端部近くの表面に粘着剤塗付部８を設け、対向する記帳シート２の裏面に粘着剤に対して剥離自在な離型剤塗付部を設け、名札用紙４を取り出すまでは緩い接着力を保持し、ずれ、抜けを防止する。後述するが��粘着剤塗付部８は、ずれ、ぬけ防止の目的以外に、名札作製で、他の目的にも有効に使われる。【００１７】  記帳がなされると、名札用紙４は取り出されて名札に加工されることになるが、名札加工を説明する前に、複写構造について説明しておく。【００１８】  複写構造の実施例について説明する。前述したように、世の中で広く使用されているカーボン方式とノーカーボン方式のいずれの複写方式も、筆記圧により瞬時に複写出来る方式であり、本発明でも有効に活用できる。【００１９】  また、複写範囲については前述の通り、図３の記帳欄６の左側半分であり、以下ではこの範囲を当該複写範囲と表現する。【００２０】  まず、カーボン方式の複写構造について図３、図４により説明する。図３の記帳シート２の当該複写範囲の裏面にカーボンインキ層を設け、対向するインキ受理面を、記帳シート２の裏面に収納された、図４の名札用紙４の表面の複写面９とする複写構造である。尚、複写面９にも、記帳欄６と同じ位置に氏名、様、住所、所属などの同じ文字が印刷されている。【００２１】  このカーボン方式での作用は、記帳時の筆記圧が記帳シート２のカーボンインキ層とインキ受理面である名札用紙４の複写面９に加わり、筆記圧によりカーボンインキ層のインキが剥離し名札用紙４の複写面９に転移して文字となり複写される。複写面９に描いた丸、三角などは複写の様子を示す。原理がインキの転移であるため、汚れの問題はあるが、受理紙、即ち名札用紙４に制約がなく安価に出来る特長がある。【００２２】  次に、ノーカーボン方式の複写構造について、同じく、図３、図４により説明する。図３の記帳シート２の当該複写範囲の裏面に発色剤を塗付した発色剤層を設け、対向する顕色剤を塗付した顕色剤層を記帳シート２の裏面に収納された図４の名札用紙４の表面の複写面９に設ける複写構造、或いは、記帳シート２の当該複写範囲の裏面は無施面とし、発色剤と顕色剤が混在又は積重した層を名札用紙４の複写面９に設ける複写構造である。尚、これらの方式の場合も、複写面９に、記帳欄６と同じ位置に氏名、様、住所、所属などの同じ文字が印刷されている。【００２３】  このノーカーボン方式での作用は、記帳時の筆記圧が記帳シート２の裏面と名札用紙４の複写面９に加わり、発色剤に含まれるマイクロカプセルが筆記圧で破壊され中の染料が流出し、これが顕色剤と化学反応を起こし瞬時に発色して文字となり複写される。汚れの問題はないが、発色剤、顕色剤の塗付、使用する用紙の制約などでカーボン方式よりコストが高くなる。しかし、今日広く普及している複写技術であり、前述の構造の標準化、製造工程の標準化によりコスト問題の解決は十分に期待できる。【００２４】  次に、名札加工について、図４、図５により説明する。記帳がなされると、図４の名札用紙４の複写面９には氏名、住所などが複写される。名札用紙４を取り出すには、記帳シート２の端７を軽く持ち上げれば粘着剤塗付部８から剥離出来、名札用紙４のツマミ部５をつかみ、引き出せば、容易に取り出せる。【００２５】  取り出された名札用紙４を点線１１に沿って切り離す。複写面９を持つ一片は、点線１０から裏側へ折り曲げて、図５の名札表示部１４とする。尚、切り離しは、点線��０に沿ってでもよいが、切り離し端面の美観から点線１１に沿って切り離し、点線１０で裏側に折り曲げて美観を保つ。切り離し、折り曲げを容易にするため、名札用紙４の４箇所の点線部には、点線に沿って溝加工などを施しておく。【００２６】  切り離された他片は図５の名札表示部支え１５となるものである。まず、粘着剤塗付部８を名札表示部１４の裏の上部に両片が垂直になるように貼り付ける。つぎに、点線１３に沿って折り曲げた後に点線１２に沿って曲げ戻す。これで名札の基本構造が出来上がる。図５の出来上がった名札の基本構造の側面図に示されるように、ツマミ部５は名札から飛び出さないように裏側に折り曲げておく。尚、図５には、名札表示部１４で裏側に折り曲げた部分は図示していない。【００２７】  出来上がった名札の基本構造に、図４に示す２箇所の一点鎖線部を一点鎖線に沿って名札表示部１４の裏側に折り曲げ加工を加えれば、名札表示部支え１５を補強出来る。そして、名札表示部支え１５を衣服の胸ポケットに差し込んで使う。これらの一点鎖線部分も、折り曲げ易いように、溝加工などを施しておく。【００２８】  名札としては胸元が最適な場所であるが、胸ポケットの無い衣服の場合も考えておく必要がある。この場合は、前述の基本構造は使えないが、図４の名札用紙をそのまま使って、衣服の胸元などへの貼り付け名札に加工することも出来る。以下に、貼り付け名札の加工方法を図４により説明する。【００２９】  貼り付け名札加工の場合は、図４の名札用紙４は切り離さずに使う。まず、名札用紙４を点線１０に沿って折り曲げる。次に、図４の端部２ヶ所の２点鎖線に沿って折り曲げ、この端部を複写面９の裏の中央部に移し、折り曲げ部分の粘着剤を利用し複写面９の裏に貼り付ける。端部の移動に伴い生じた名札用紙４のたるみは重ね折りして処理する。そして、残った粘着剤を利用して衣服の最適な場所に貼り付ければよい。２点鎖線での折り曲げや重ね折りの処理がし易いように溝加工などを施しておく。また、名札用紙４を適切な箇所で切り離し、貼り付け名札にすることも可能である。尚、衣服に貼り付けるため、衣服を傷めない粘着剤を選ぶ。【００３０】  以上に本発明の実施例を示したが、本発明を実施するための構造や方法はこの実施例に限られるものではない。【００３１】  記帳シートの後部に所要時に記帳欄単位で容易に取り出せる名札用紙を一時的に留めておく構造として、実施例ではポケット状の収納部を設けて収納する構造としたが、名札用紙を記帳シート裏面に、容易に引き剥がせる程度に接着する構造も考えられる。【００３２】  また、記帳シートの後部としての次葉に、名札台紙を装着する構造も考えられる。この名札台紙は、例えば、記帳シート大の台紙に図４と同形のツマミ部をもった名札用紙の抜き型を入れ、台紙のツマミ部のある一端を、ツマミ部を残して切り離し、残った台紙の裏面から擬似層を貼り合せて、台紙の一部を名札用紙として取り出せる構造としたものである。尚、名札用紙に施される複写や折り曲げのための加工は前工程となろう。【００３３】  記帳後取り出した名札用紙を名札に加工する方法も、簡単な手加工を施すといった条件で、実施例で説明した方法以外にも考えられる。実施例で述���た、２片に切り離した名札用紙の名札表示部だけを利用し、別に用意された、安価で簡単な衣服取り付け具、例えば、バネなしクリップ部と安全ピンに代り離型紙付の粘着部を持つ衣服取り付け具を名札表示部の裏面に貼り付ける方法も考えられる。尚、この方法で作製された名札も実施例での名札も、退場時に回収せずに持ち帰ってもらうが、名札表示部に、式典や会合、催しの名称、場所、開催日などを印刷しておくと記念にもなる。
【発明の効果】
【００３４】  本発明により、各種の式典や会合、或いは各種の催しが開催される式場や会場の受付で、芳名帳への記帳がなされると、その場ですぐに、衣服に取り付けできる名札が容易に作製できるため、従来記帳後に受付で行われていた名札やカードホルダー、記入カードの手渡し、取り扱い説明により起こる混雑渋滞、事前に作製準備された名札の記入ミスなどによる混乱の問題、名札を並置する受付台の設置スペースの問題、かさばるカードホルダー、記入カードの準備と費用の問題、退場時の名札やカードホルダーの回収といった煩わしい問題を一切無くすことが出来る。尚、名札作製で、前述の衣服取り付け具を使う場合は、この備品の準備は必要となるが、従来の方法での準備と費用に比較すれば、また回収が不要なことも考えれば、全く問題にはならないと考えられるため、以下では、事前の準備は不要と、説明するが、特に混乱は生じない。
【００３５】  本発明は、広く普及している技術を駆使して実施できるのみならず、実施例で詳述したように、構造が極めてシンプルで、構造の標準化、製造工程の標準化を推し進めることが出来、発明製品を安価に提供できる。これにより、個人やグループが主催する小規模の創作展、展示会などでも使ってもらうことが出来る。
【００３６】  前述した発明の効果は、事前の準備が不要で、芳名帳へ記帳するだけでその場ですぐに容易に名札が作れるという即席性の効果、シンプルな構造で製品を低コストで製造できるという廉価性の効果である。しかし、効果はこれだけではない。芳名帳の記帳で副産物として生み出される名札ではあるが、こうして生み出された名札がいかに効果のあるものか、それを生み出す本発明の芳名帳がいかに価値のあるものかを説明しておく必要がある。このことを説明する前に、もう一度、従来方法の問題点を振り返ってみる。
【００３７】  事前に名札が準備される場合、所属や役職といった項目が表示される場合もあるが、大半は、氏名のみか、氏名と上位住所としての出身地までのものである。今後も、個人情報保護法により、主催者側が氏名、住所以外の個人情報を保有している場合でも、個人情報の目的外利用は制限されているため、事前に準備される名札に、今まで以上の内容が表示されることはないと考えられる。従って、事前に準備される名札からは、今まで以上の新しい効果や価値は生まれない。
【００３８】  また、名刺を名札代わりとする場合は、所属団体に関する情報は多く表示されているが、名札としては文字が小さく視認性が極めて悪い。
【００３９】  名刺に代えて記入カードを使用する場合は、カードホルダー、記入カードの印刷などの事前準備が必要なこともあるが、芳名帳記帳とカード記入の二度手間となる。
【００４０】  やはり、従来の名札や、名刺や記入カードによる代替名札では、名札としての効果、価値を高めることは困難である。
【００４１】  本発明は、記帳シートの記帳欄の記入項目や記入枠の構成次第で、前述の欠点を全て解決できるものである。名札用紙に複写表示される記帳欄の氏名、住所以外の記入項目を、実施例で示した所属に代えて、開催内容に応じて適切に選べば、芳名帳の記帳で副産物として生み出される名札ではあるが、これまでに無い、新しい名札の心理効果が発揮され、本発明の芳名帳が価値あるものと考えられるいくつかの例を以下に示す。
【００４２】  １例目は、本発明の芳名帳を同窓会に利用した場合の例である。
【００４３】  長年ぶりで開催される合同の同窓会を考えてみる。名札に関してだけでも、幹事らの事前の準備、当日の準備は大変である。このような会合にも本発明の芳名帳は大きな効果を発揮する。
【００４４】  まず、事前の、当日の名札やカードホルダー、記入カードなどの準備が不要なことは言うまでもないが、それにもまして、氏名、住所以外の記入項目を、卒年、クラス、担任などとすれば、この項目が名札に表示されていることにより、同窓会出席者の相互認識を早めるとともに、意思疎通を図り易くする心理的効果を発揮し、旧友らとの久方の再会をより楽しいものにすることは想像に難くない。
【００４５】  また、次のようなことも、効果と考えてよいだろう。つまり、卒業者名簿があるとはいっても、事前に幹事らで、卒年、クラス、担任まで表示した名札を作製準備するのは大変な作業であり、記入ミスも起こりえる。しかし、出席者本人が、芳名帳記帳時に卒年、クラス、担任の項目も記入するのであるから、記入ミスの発生はまず無いであろうし、あったとしても本人が不注意を認めることになろう。
【００４６】  ２例目は、本発明の芳名帳を通夜葬儀に利用した場合の例である。
【００４７】  通夜葬儀で芳名帳に記帳をしても名札をつける習慣はない。通夜葬儀は多方面から弔問会葬されるため、参列者どうしは、通常、多くが初対面である。しかし、故人を弔う場であって、参列者の意思疎通をことさら図る必要はなく、確かに、参列者に名札は不要であろう。
【００４８】  しかし、遺族や親族として参列され、次のような経験をされたことはなかったであろうか。故人の生前親しかった友人、遠縁の人、仕事や地域やサークルの関係者などで、生前故人から名前はよく聞かされていたが、遺族親族には面識が無い、あっても定かには顔を覚えていないといったことはよくあることで、弔問会葬に参列されて遺族親族の間近で焼香をされている方が、故人と生前どのような関係であったのだろうか、故人から生前名前をよく聞かされていた親しかった人はどの方なのだろうか、名前だけでもわかったら、との思いを経験されたのではないか。
【００４９】  この思いに応えられる現実的な方法は、やはり、一般参列者に名札を付けてもらうことであるが、予定時間内のスムーズな進行が図られる通夜葬儀で、従来の方法は到底採用できない。
【００５０】  そこで本発明の芳名帳が威力を発揮することになる。芳名帳への記帳後その場ですぐに名札ができ上がる即席性は、予定時間内のスムーズな進行に相反するものではない。出来上がった名札をつけていただくことで、遺族親族の名前だけでもわかったらという思いに、まず応えることができ、更に、氏名と住所以外の記入項目として、故人との関係を加えれば、前述の思いに十分に応えられる名札とできる。視認性を増すために名札の表示文字を大きくするには、上位住所だけを複写範囲とするように記帳シートの記入欄を工夫すればよい。遠方からの参列であることは上位住所だけでもそれがわかり、遠方からの参列に対する御礼の気持ちがより強くなるであろう。
【００５１】  ３例目は、本発明の芳名帳を懇親会が予定された講演会に利用した場合の例である。
【００５２】  本発明の芳名帳から作られる名札は、事前に作製準備された名札とは異なり、複写とはいえ、自筆であり、このことも効果的である。記帳欄の氏名、住所以外の記入項目欄を自由欄とし、記帳者の経験歴なり、趣味なり、お気に入りなり、自由に記入してもらうようにすれば、名札が個性を持つようになり、堅苦しくない集まり、例えば、講演会の後の懇親会などで、この名札が親しい雰囲気や楽しい雰囲気を醸しだし、会話を弾ませることになろう。名前と住所だけの名札では、このような効果は出ないだろう。
【００５３】  自由に記入することは、確定していることを記入するのとは違い、多少時間がかかるものであり、講演会受付での記帳時に自由欄まで記入してもらう必要はなく、懇親会までに、手渡された名札に記入してもらうようにすれば受付での混雑渋滞はない。
【００５４】  ３例を説明したが、芳名帳への記帳後、その場ですぐに容易に名札ができるという即席性の効果以外に、記帳欄への氏名、住所以外の記入項目を工夫することで、この名札は、その表示内容を目にしただけで、相互認識を早める効果や高める効果を持つことは確かであり、更に、親しい雰囲気や楽しい雰囲気を醸し出し、人の心に働きかける力を持つようになる。これは正に、芳名帳の記帳欄の記入項目を工夫することで、名札にこれまでには無かった心理効果が備わったことになる。
【００５５】  どのような集まりには、どのような記入項目が心理効果を高めるのかは、心理学者の意見などを参考に決めるのがよい。
【００５６】  以上に本発明の効果について詳細に説明してきたが、説明からも十分に理解されるように、本発明の芳名帳は、記帳するだけで名札が即席に作れる、廉価な芳名帳と言うだけでなく、記帳欄の記入項目を工夫することで、名札に心理効果というこれまでに無かった新しい付加価値をつけることが出来る、価値ある芳名帳と言っても過言ではない。
【図面の簡単な説明】
【００５７】
【図１】  本発明にかかわる実施例での、芳名帳の概略図である。
【図２】  本発明にかかわる実施例での、記帳シートの断面図である。
【図３】  本発明にかかわる実施例での、記帳シートの表面を示す図である。
【図４】  本発明にかかわる実施例での、名札用紙の構造を示す図である。
【図５】  本発明にかかわる実施例での、名札用紙を加工し作製された名札の基本構造の正面図と側面図である。
【符号の説明】
【００５８】  １    芳名帳
２    記帳シート
３    名札用紙収納部
４    名札用紙
５    ツマミ部
６    記帳欄
７    記帳シート２の端
８    粘着剤塗付部
９    複写面
１０  点線１０
１１  点線１１
１２  点線１２
１３  点線１３
１４  名札表示部
１５  名札表示部支え
【図１】
2007008142.tif 000002
【図２】
2007008142.tif 000003
【図３】
2007008142.tif 000004
【図４】
2007008142.tif 000005
【図５】
2007008142.tif 000006